(57)【要約】【課題】簡単な駆動制御により面材を開閉駆動することができ、面材を確実に閉鎖させるとともに閉鎖状態を維持させることができる面材駆動装置および建具を提供すること。【解決手段】障子２０が閉鎖位置まで閉じられると係合部材４２が自動的に錠受け４１に係合して施錠されるので、閉鎖位置で障子２０の閉移動が止まり、障子２０の位置を読み取って移動量を制御するような複雑な駆動制御や位置センサが不要になるため、面材駆動装置３０の制御プログラムおよび構造が簡単化できる。そして、閉鎖位置で自動的に障子２０が施錠されることから、障子２０が閉じきらないような不完全な閉鎖が防止できるとともに、障子２０を無理矢理開こうとしても、施錠装置４０の係合によって障子２０の移動が規制されるため、防犯性を向上させることができる。【選択図】図４
2008115620.tif 000002
【特許請求の範囲】
【請求項１】
建物開口部に固定された枠体にスライド開閉自在に支持される面材を開閉駆動する面材駆動装置であって、
前記建物開口部および前記枠体の少なくとも一方に固定される支持部と、
前記支持部に固定されて駆動力を発揮する駆動手段と、
前記面材に連結される面材連結部と、
前記駆動手段の駆動力を前記面材連結部に伝達する駆動力伝達手段と、
前記支持部と前記面材連結部とを係脱自在に係合して前記面材を施錠する施錠手段とを備え、
前記施錠手段は、前記支持部に固定された錠受けと、前記面材連結部に支持されて施解錠位置間を動作可能に設けられるとともに前記面材の閉鎖位置にて前記錠受けに係合する係合部材とを有して構成され、
前記面材連結部は、前記面材に固定される連結本体部と、この連結本体部に支持された可動部とを有して構成され、この可動部に前記駆動力伝達手段が連結されるとともに、当該可動部に前記係合部材が解錠方向に係止され、
前記面材の閉鎖位置にて前記錠受けに前記係合部材が係合した状態から、前記駆動手段の開放駆動力が前記駆動力伝達手段を介して前記可動部に伝達されることで、当該可動部の移動により前記係合部材が解錠位置に移動されて前記錠受けとの係合が外れるとともに、当該可動部を介して前記面材連結部が前記面材の開放方向に駆動され、
前記面材の開放位置にて前記錠受けと前記係合部材との係合が外れた状態から、前記駆動手段の閉鎖駆動力が前記駆動力伝達手段を介して前記可動部に伝達されることで、当該可動部を介して前記面材連結部が前記面材の閉鎖方向に駆動されるとともに、前記面材が閉鎖位置まで移動された際に、前記錠受けに当接した前記係合部材が施錠位置に移動して当該錠受けに係合される面材駆動装置。
【請求項２】
前記面材連結部の連結本体部および可動部の一方には、当該面材連結部の移動方向に沿って長く形成された長孔が設けられ、他方には前記長孔に案内される挿通部材が設けられ、前記可動部は、前記長孔に沿ってスライド自在に支持されている請求項１に記載の面材駆動装置。
【請求項３】
前記施錠手段の係合部材は、互いに対向して設けられる係合片および当接片を有して形成されるとともに、前記面材連結部に回動自在に支持され、前記面材が閉鎖位置まで移動された際に、前記当接片が前記錠受けに当接することで当該係合部材が回動され、前記係合片が前記錠受けに係合する請求項１または請求項２に記載の面材駆動装置。
【請求項４】
前記支持部には、前記駆動手段、駆動力伝達手段および施錠手段の下方を覆うカバー部材が取り付けられ、このカバー部材には、前記面材連結部を前記面材側に突出させる左右に延びたスリットと、前記施錠手段の下方に位置する手動解錠操作部とが設けられている請求項１から請求項３のいずれかに記載の面材駆動装置。
【請求項５】
建物開口部に固定される枠体と、この枠体にスライド開閉自在に支持される面材と、この面材を開閉駆動する面材駆動装置とを備えた建具であって、
前記面材駆動装置は、
前記建物開口部および前記枠体の少なくとも一方に固定される支持部と、
前記支持部に固定されて駆動力を発揮する駆動手段と、
前記駆動手段を駆動させる駆動操作部と、
前記面材に連結される面材連結部と、
前記駆動手段の駆動力を前記面材連結部に伝達する駆動力伝達手段と、
前記支持部と前記面材連結部とを係脱自在に係合して前記面材を施錠する施錠手段とを備えて構成され、
前記施錠手段は、前記支持部に固定された錠受けと、前記面材連結部に支持されて施解錠位置間を動作可能に設けられるとともに前記面材の閉鎖位置にて前記錠受けに係合する係合部材とを有して構成され、
前記面材連結部は、前記面材に固定される連結本体部と、この連結本体部に支持された可動部とを有して構成され、この可動部に前記駆動力伝達手段が連結されるとともに、当該可動部に前記係合部材が解錠方向に係止され、
前記面材が閉鎖位置に位置した状態において、前記駆動操作部の操作により前記駆動手段を開放駆動させることで、その開放駆動力が前記駆動力伝達手段を介して前記可動部に伝達され、当該可動部の移動により前記係合部材が解錠位置に移動されて前記錠受けとの係合が外れ、当該可動部を介して前記面材連結部が面材の開放方向に駆動されて当該面材が開放され、
前記面材が開放位置に位置した状態において、前記駆動操作部の操作により前記駆動手段を閉鎖駆動させることで、その閉鎖駆動力が前記駆動力伝達手段を介して前記可動部に伝達され、当該可動部を介して前記面材連結部が面材の閉鎖方向に駆動され、当該面材が閉鎖位置まで移動された際に、前記錠受けに当接した前記係合部材が施錠位置に移動して当該錠受けに係合され、当該面材が閉鎖位置で施錠される建具。
【発明の詳細な説明】
【技術分野】
【０００１】
本発明は、面材駆動装置および建具に関し、詳しくは、建物開口部に固定された枠体にスライド開閉自在に支持される面材を開閉駆動する面材駆動装置、それを備えた建具に関する。
【背景技術】
【０００２】
従来、枠体と、枠体にスライド開閉自在に支持される面材とを有した建具として、引違い窓、片引き窓、上げ下げ窓等のサッシ窓や、引き戸、折れ戸等が一般的に利用されている。このような建具において、面材である障子や戸（扉）を電動で開閉駆動する面材駆動装置が提案されている（例えば、特許文献１参照）。
特許文献１に記載された駆動装置（扉の電動装置）では、上枠の室外側に固定した格納体の内部にモーターおよび連動機構が設けられ、連動機構から延びたアームが面材（扉）に連結されている。連動機構は、駆動プーリーおよび従動プーリーと、これらに掛け回されたタイミングベルトと、タイミングベルトに連結されてアームに固定された連結部とを有して構成されている。そして、スイッチ操作によりモーターを駆動することで、駆動プーリーを介してタイミングベルトが回動され、これにより面材が開閉駆動されるようになっている。
【０００３】
【特許文献１】実用新案登録第２５７８２０１号公報
【発明の開示】
【発明が解決しようとする課題】
【０００４】
しかしながら、従来の駆動装置では、面材の閉鎖位置や開放位置をタイミングベルトの回動位置で読み取り、コントローラで制御しているため、駆動制御を行うコントローラの制御プログラム等が複雑になり、製品コストが増大してしまうという問題がある。
さらに、何らかの理由でタイミングベルトが駆動プーリーからずれてしまうと、面材が閉じきらない位置を閉位置として閉鎖駆動を止めてしまったり、逆に面材が開ききらない位置を開位置として開放駆動を止めてしまったりなどの不都合が生じる。
また、従来の駆動装置では、連動機構やモーターの抵抗があるものの、閉じた状態で面材に開放方向の力が加わる（無理矢理開こうとする）と、面材が開いてしまう可能性があり、防犯上の問題もある。
【０００５】
本発明の目的は、簡単な駆動制御により面材を開閉駆動することができ、面材を確実に閉鎖させるとともに閉鎖状態を維持させることができる面材駆動装置および建具を提供することにある。
【課題を解決するための手段】
【０００６】
本発明の面材駆動装置は、建物開口部に固定された枠体にスライド開閉自在に支持される面材を開閉駆動する面材駆動装置であって、前記建物開口部および前記枠体の少なくとも一方に固定される支持部と、前記支持部に固定されて駆動力を発揮する駆動手段と、前記面材に連結される面材連結部と、前記駆動手段の駆動力を前記面材連結部に伝達する駆動力伝達手段と、前記支持部と前記面材連結部とを係脱自在に係合して前記面材を施錠する施錠手段とを備え、前記施錠手段は、前記支持部に固定された錠受けと、前記面材連結部に支持されて施解錠位置間を動作可能に設けられるとともに前記面材の閉鎖位置にて前記錠受けに係合する係合部材とを有して構成され、前記面材連結部は、前記面材に固定される連結本体部と、この連結本体部に支持された可動部とを有して構成され、この可動部に前記駆動力伝達手段が連結されるとともに、当該可動部に前記係合部材が解錠方向に係止され、前記面材の閉鎖位置にて前記錠受けに前記係合部材が係合した状態から、前記駆動手段の開放駆動力が前記駆動力伝達手段を介して前記可動部に伝達されることで、当該可動部の移動により前記係合部材が解錠位置に移動されて前記錠受けとの係合が外れるとともに、当該可動部を介して前記面材連結部が前記面材の開放方向に駆動され、前記面材の開放位置にて前記錠受けと前記係合部材との係合が外れた状態から、前記駆動手段の閉鎖駆動力が前記駆動力伝達手段を介して前記可動部に伝達されることで、当該可動部を介して前記面材連結部が前記面材の閉鎖方向に駆動されるとともに、前記面材が閉鎖位置まで移動された際に、前記錠受けに当接した前記係合部材が施錠位置に移動して当該錠受けに係合されることを特徴とする。
【０００７】
このような本発明の面材駆動装置によれば、駆動力伝達手段が連結された面材連結部に施錠手段の係合部材を設け、面材が閉鎖位置まで閉じられた際に係合部材が錠受けに係合して施錠されるように構成したことで、面材の閉鎖位置を検知しなくても自動的に施錠された位置で面材の閉移動が止まることから、複雑な駆動制御が不要になって装置の制御部を簡単化することができる。そして、閉鎖位置で係合部材と錠受けとが係合して面材が自動的に施錠されることから、面材が閉じきらない不完全な閉鎖が防止できるとともに、面材を無理矢理開こうとしても、施錠手段の係合によって面材の開方向への移動が規制されるため、防犯性を向上させることができる。
また、閉鎖位置にある面材を開放する場合には、駆動力伝達手段を介した駆動手段の開放駆動力により可動部が連結本体部に対して移動することで、係合部材と錠受けとの係合が外れて解錠されるとともに、この解錠に連続した面材連結部の移動により面材が開放される。従って、施錠手段の解錠と面材の開放とが単一の駆動により連続的に実施され、それぞれの動作を別々に実行させる必要がないので、施錠手段により施錠されていたとしても開放時の駆動制御が複雑になるのを防止することができる。
【０００８】
この際、本発明の面材駆動装置では、前記面材連結部の連結本体部および可動部の一方には、当該面材連結部の移動方向に沿って長く形成された長孔が設けられ、他方には前記長孔に案内される挿通部材が設けられ、前記可動部は、前記長孔に沿ってスライド自在に支持されていることが好ましい。
このような構成によれば、可動部を連結本体部にスライド自在に支持させる機構を長孔と挿通部材（ピンやボルトなど）とによって構成したことで、面材連結部の構造を簡単化して小型化（薄型化）することができ、面材駆動装置の設置スペースを小さくすることができる。
すなわち、本発明において、連結本体部に対する可動部の可動機構としては、可動部を連結本体部に回動自在に軸支させるとともに、軸支位置の一方側に駆動力伝達手段が連結され、他方側にて施錠手段の係合部材を係止するような構成も採用可能である。ただし、このように回動自在に軸支する可動機構では、その構造上、構成部品が大きくなったり、可動範囲にスペースが必要になったりして、小型化に限界がある。このため、前述の長孔とピンで構成した場合の方が小型化を図ることができる。
【０００９】
さらに、本発明の面材駆動装置では、前記施錠手段の係合部材は、互いに対向して設けられる係合片および当接片を有して形成されるとともに、前記面材連結部に回動自在に支持され、前記面材が閉鎖位置まで移動された際に、前記当接片が前記錠受けに当接することで当該係合部材が回動され、前記係合片が前記錠受けに係合することが好ましい。
このような構成によれば、係合部材に係合片および当接片を設けるとともに面材連結部に回動自在に支持させ、当接片が錠受けに当接することにより係合部材が回動して係合片が錠受けに係合するように施錠手段を構成したことで、面材を閉じた際の施錠動作を簡単かつ確実に実施させることができる。
【００１０】
また、本発明の面材駆動装置では、前記支持部には、前記駆動手段、駆動力伝達手段および施錠手段の下方を覆うカバー部材が取り付けられ、このカバー部材には、前記面材連結部を前記面材側に突出させる左右に延びたスリットと、前記施錠手段の下方に位置する手動解錠操作部とが設けられていることが好ましい。
このような構成によれば、駆動手段、駆動力伝達手段および施錠手段の下方をカバー部材で覆ったことで、浴室などの水がかかる可能性がある空間や湿気が多い空間に当該面材駆動装置を設置した場合でも、駆動手段や駆動力伝達手段に対する防水性や防湿性を向上させることができる。さらに、駆動手段や駆動力伝達手段がカバー部材で覆われることで、面材駆動装置の外観を良好にすることができるとともに、施錠手段が見えなくなることで、防犯性を向上させることができる。
【００１１】
一方、本発明の建具は、建物開口部に固定される枠体と、この枠体にスライド開閉自在に支持される面材と、この面材を開閉駆動する面材駆動装置とを備えた建具であって、前記面材駆動装置は、前記建物開口部および前記枠体の少なくとも一方に固定される支持部と、前記支持部に固定されて駆動力を発揮する駆動手段と、前記駆動手段を駆動させる駆動操作部と、前記面材に連結される面材連結部と、前記駆動手段の駆動力を前記面材連結部に伝達する駆動力伝達手段と、前記支持部と前記面材連結部とを係脱自在に係合して前記面材を施錠する施錠手段とを備えて構成され、前記施錠手段は、前記支持部に固定された錠受けと、前記面材連結部に支持されて施解錠位置間を動作可能に設けられるとともに前記面材の閉鎖位置にて前記錠受けに係合する係合部材とを有して構成され、前記面材連結部は、前記面材に固定される連結本体部と、この連結本体部に支持された可動部とを有して構成され、この可動部に前記駆動力伝達手段が連結されるとともに、当該可動部に前記係合部材が解錠方向に係止され、前記面材が閉鎖位置に位置した状態において、前記駆動操作部の操作により前記駆動手段を開放駆動させることで、その開放駆動力が前記駆動力伝達手段を介して前記可動部に伝達され、当該可動部の移動により前記係合部材が解錠位置に移動されて前記錠受けとの係合が外れ、当該可動部を介して前記面材連結部が面材の開放方向に駆動されて当該面材が開放され、前記面材が開放位置に位置した状態において、前記駆動操作部の操作により前記駆動手段を閉鎖駆動させることで、その閉鎖駆動力が前記駆動力伝達手段を介して前記可動部に伝達され、当該可動部を介して前記面材連結部が面材の閉鎖方向に駆動され、当該面材が閉鎖位置まで移動された際に、前記錠受けに当接した前記係合部材が施錠位置に移動して当該錠受けに係合され、当該面材が閉鎖位置で施錠されることを特徴とする。
【００１２】
以上の建具によれば、面材駆動装置と同様に、簡単な駆動制御で面材を開閉駆動させることができ、建具の製造コストを抑制することができるとともに、面材を確実に閉じさせて閉鎖位置に維持させることができ、防犯性を向上させることができる。そして、面材駆動装置により面材を開閉駆動することで、当該建具が直接開閉操作しにくい位置である浴室や高所等に設けられたとしても、この建具から離れた操作しやすい位置に駆動操作部を設置しておけば、面材の開閉操作を容易に実行することができ、利便性を向上させることができる。
【発明を実施するための最良の形態】
【００１３】
以下、本発明の実施形態を図面に基づいて説明する。
図１は、本発明の実施形態に係る建具である浴室窓１を示す縦断面図である。図２は、浴室窓１を示す横断面図である。
浴室窓１は、浴室の外壁２に設けられた窓であって、外壁２の開口部に固定される枠体としての窓枠１０と、この窓枠１０にスライド開閉自在に支持される面材としての障子２０と、障子２０を開閉駆動する電動式の面材駆動装置３０とを備えて構成されている。
【００１４】
窓枠１０は、それぞれアルミ押出形材製の上枠１１、下枠１２、および左右の縦枠１３を四周枠組みして構成されている。障子２０は、それぞれアルミ押出形材製の上框２１、下框２２、および左右の縦框２３と、これら上下左右の框材２１〜２３内に嵌め込まれた複層ガラス２４とを備えて構成されている。そして、障子２０は、下枠１２のレール１２Ａに戸車２２Ａが案内され、かつ上枠１１のレール１１Ａに摺動片２１Ａが案内されることで、左右にスライド開閉可能に窓枠１０に支持されている。さらに、障子２０は、面材駆動装置３０の駆動により図２に示す閉鎖位置から右側にスライドされて開き、所定の開放位置まで開放された状態で換気や通風ができるようになっている。一方、閉鎖位置において、障子２０の左右の縦框２３は、それぞれ縦枠１３に取り付けられた気密材１３Ａに密接し、また上框２１および下框２２もそれぞれ上枠１１および下枠１２に取り付けられた気密材１１Ｂ，１２Ｂに密接することで、気密性が確保されるようになっている。
【００１５】
次に、面材駆動装置３０について、図３〜図７も参照して説明する。
図３は、面材駆動装置３０を示す平面図である。図４は、面材駆動装置３０の動作を示す平面図である。図５および図６は、それぞれ面材駆動装置３０の面材連結部および施錠手段を示す平面図である。図７は、面材連結部および施錠手段を示す斜視図である。
【００１６】
面材駆動装置３０は、上枠１１の浴室側で外壁２の開口部の上辺に設けられる支持部としてのベース３１と、このベース３１に固定されて駆動力を発揮する駆動手段としてのモーター３２と、モーター３２を駆動操作するための図示しない駆動操作部と、障子２０に連結される面材連結部としてのブラケット３３と、モーター３２の駆動力をブラケット３３に伝達する駆動力伝達機構（手段）３４と、ベース３１の下側に固定されるカバー材（カバー部）３５とを備えて構成されている。また、面材駆動装置３０には、ベース３１に固定された錠受け４１と、ブラケット３３に固定された係合部材４２とを有するとともに、障子２０の閉鎖位置において錠受け４１と係合部材４２とが係合することで障子２０を施錠する施錠装置（手段）４０が設けられている。
なお、面材駆動装置３０の駆動操作部（スイッチ）は、浴室窓１から離れた浴室の外側である脱衣室の壁面等の任意の位置に設けられ、モータ３２と電気的に接続されていればよく、脱衣室からでも浴室窓１の障子２０を開閉操作できるようになっている。
【００１７】
面材駆動装置３０のベース３１は、金属板材から折り曲げ加工により下方に開口した全体略コ字形に形成されたもので、ビス止めによって外壁２開口部の建物躯体および上枠１１に固定されている。カバー材３５は、金属板材から折り曲げ加工により上方に開口した全体略コ字形に形成されたもので、ビス止めによってベース３１に固定されている。カバー材３５には、ブラケット３３を障子２０側に突出させる左右に延びたスリット３５１と、施錠装置４０の下方に位置して手動解錠操作部を構成する開口３５２とが設けられている。そして、カバー材３５のスリット３５１には、ブラケット３３に摺接する気密材（図示略）が設けられ、開口３５２にはキャップ３５３が設けられている。このカバー材３５は、ベース３１の下側全体を覆って設けられており、図示しない端部カバーも用いてベース３１に固定した状態で面材駆動装置３０をほぼ密閉させ、内部への水や湿気の浸入が防止でき、モーター３２や駆動力伝達機構３４、施錠装置４０に水滴や埃等が付着しにくくなっている。
【００１８】
駆動力伝達機構３４は、モーター３２の出力軸にギアを介して接続された駆動プーリー３４１と、この駆動プーリー３４１から左右に離れて配置された一対の従動プーリー３４２，３４３と、これらの駆動プーリー３４１および従動プーリー３４２，３４３に掛け回された無端ワイヤー３４４とを有して構成されている。この無端ワイヤー３４４の途中位置に前記ブラケット３３が固定されている。モーター３２および駆動プーリー３４１は、固定部材３４５を介してベース３１の天面３１１下側に固定され、従動プーリー３４２は、固定部材３４６を介してベース３１における室外側への突出片３１２下側に固定されている。また、従動プーリー３４３は、支持片３４７を介してベース３１の突出片３１２下側に摺動支持されるとともに、付勢部材３４８によって反対側の従動プーリー３４２から離れる方向に付勢された状態で取り付けられている。
【００１９】
ブラケット３３は、図５〜図７にも示すように、金属板材から全体略Ｌ字形に形成されて鉛直面部３３２および水平面部３３３を有したブラケット本体（連結本体部）３３１と、この水平面部３３３にスライド可能に支持された可動部としての可動部材３３４とを備え、水平面部３３３には、後述する施錠装置４０を構成する係合部材４２および案内部材４３が設けられている。ブラケット３３は、ブラケット本体３３１の鉛直面部３３２が障子２０の上框２１の室内面にビス止めされることで、障子２０と連結される。また、ブラケット本体３３１の水平面部３３３には、無端ワイヤー３４４の延びる方向（上枠１１と平行な方向であって障子２０の開閉方向）に沿って長く形成された２つの長孔３３５が形成されており、これらの長孔３３５には、可動部材３３４に固定された挿通部材である２本のボルト３３６が挿通され、ボルト３３６が長孔３３５に案内されることで、可動部材３３４が上枠１１と平行にスライドできるようになっている。そして、可動部材３３４には、水平面部３３３の下面に沿って係合部材４２側に延び、この係合部材４２を係止する係止部３３７が形成されている。
【００２０】
駆動力伝達機構３４の無端ワイヤー３４４は、ブラケット３３の可動部材３３４の上面にボルト３３８で固定されており、無端ワイヤー３４４の移動開始時において、その移動方向に長孔３３５の長さに応じた距離（例えば、３〜５mm）だけ可動部材３３４がブラケット本体３３１に対してスライド移動するようになっている。そして、図４に示すように、駆動プーリー３４１がモーター３２の駆動力により回転され、この駆動プーリー３４１の回転により、無端ワイヤー３４４が駆動プーリー３４１および従動プーリー３４２，３４３間を回動し、この無端ワイヤー３４４の回動に伴ってブラケット３３が上枠１１と平行な左右方向に移動するようになっている。すなわち、モーター３２の駆動力が駆動力伝達機構３４を介してブラケット３３に伝達され、このブラケット３３に連結された障子２０が開閉駆動されるようになっている。
【００２１】
次に、施錠装置４０は、錠受け４１と、ブラケット３３の左右一方（図３〜図６の左側であって障子２０が閉じる方向）の端部に支持される係合部材４２と、係合部材４２の上側においてブラケット３３に固定された案内部材４３とを備えて構成されている。錠受け４１は、ベース３１の突出片３１２下側に固定される錠受け本体４１１と、この錠受け本体４１１に固定されて上下に延びる受けピン４１２とを有して構成されている。係合部材４２は、互いに対向して設けられる係合片４２１および当接片４２２を有して形成されるとともに、案内部材４３の下面に回動自在に支持され、施錠位置と解錠位置との間を動作可能に構成されている。そして、係合部材４２は、解錠位置にある状態で当接片４２２が錠受け４１の受けピン４１２に当接することで、施錠位置まで回動されて係合片４２１が受けピン４１２に係合するようになっている。この施錠の際に案内部材４３は、受けピン４１２を受け入れて案内し、この受けピン４１２と係合部材４２の当接片４２２とが確実に当接するようにするための部材である。一方、ブラケット３３の可動部材３３４に設けた係止部３３７よって係合部材４２が係止されて図３〜図６の右側に引っ張られることで、係合部材４２が解錠位置側に回動され、錠受け４１の受けピン４１２との係合が外れて解錠されるようになっている。
【００２２】
この施錠装置４０では、前述のモーター３２および駆動力伝達機構３４によってブラケット３３が閉鎖方向に駆動され、障子２０が閉鎖位置まで移動された際に、係合部材４２が錠受け４１の受けピン４１２に係合することで、閉鎖位置における障子２０を施錠することができるようになっている（図３、図５の状態）。
一方、閉鎖位置にて障子２０が施錠された状態において、モーター３２および駆動力伝達機構３４によって無端ワイヤー３４４が開放方向に回動された場合には、先ずブラケット３３の可動部材３３４が長孔３３５に沿ってスライドし、その係止部３３７が係合部材４２を解錠方向に引っ張って回動させて錠受け４１との係合を解除（解錠）し、これに続いてブラケット３３が開放方向に駆動されることで、障子２０を開放することができるようになっている（図４、図６、図７の状態）。
【００２３】
また、図１に示すように、前記カバー材３５の底面の開口３５２は、施錠装置４０の錠受け４１の直下に位置して形成されており、常時はキャップ３５３によって塞がれている。そして、何らかの原因により面材駆動装置３０が正常に動作しなくなり、施錠装置４０が解錠できなくなった場合や、火災時の避難等で浴室から浴室窓１を通って室外に出る必要がある場合には、キャップ３５３を外して開口３５２を露出させ、この開口３５２に手を入れて可動部材３３４の係止部３３７や係合部材４２を手動操作し、係合部材４２を解錠方向に回動させることで、障子２０が解錠できるようになっている。このように解錠してから障子２０を手で開放方向に移動操作することで、モーター３２の抵抗力に抗して障子２０が開放できるようになっている。
【００２４】
このような本実施形態によれば、以下のような効果がある。
（１）すなわち、障子２０が閉鎖位置まで閉じられると係合部材４２が自動的に錠受け４１に係合して施錠されるので、閉鎖位置で障子２０の閉移動が止まり、障子２０の位置を読み取って移動量を制御するような複雑な駆動制御が不要になるため、面材駆動装置３０の制御プログラムが簡単化できるとともに、位置センサ等が不要になって構造も簡単化することができる。そして、閉鎖位置で自動的に障子２０が施錠されることから、障子２０が閉じきらない不完全な閉鎖が防止できるとともに、障子２０を無理矢理開こうとしても、施錠装置４０の係合によって障子２０の移動が規制されるため、防犯性を向上させることができる。
【００２５】
（２）また、閉鎖位置にある障子２０を開放する場合には、モーター３２の開放駆動力によりブラケット３３の可動部材３３４がスライドすることで、係合部材４２が回動されて解錠されるとともに、この解錠に連続したブラケット３３の移動により障子２０が開放される。従って、施錠装置４０の解錠と障子２０の開放とが単一の駆動により連続的に実施され、それぞれの動作を別々に実行させる必要がないので、施錠装置４０により施錠されていたとしても開放時の駆動制御が複雑になるのを防止することができる。
【００２６】
（３）さらに、施錠装置４０の係合部材４２が係合片４２１および当接片４２２を備えかつブラケット本体３３１に回動自在に支持され、当接片４２２が錠受け４２に当接して係合部材４２が施錠位置に回動し、この回動に伴って係合片４２１が錠受け４１の受けピン４１２に係合するように構成されているので、障子２０を閉じた際の施錠動作が簡単かつ確実に実施できる。
【００２７】
（４）そして、以上のような面材駆動装置３０により障子２０が開閉駆動されることで、浴室における浴槽側の壁面のように直接開閉操作しにくい位置に浴室窓１が設けられていても、この浴室窓１から離れた操作しやすい位置（脱衣室側の壁）に駆動操作部を設置しておけば、障子２０の開閉操作を容易に実行することができ、利便性を向上させることができる。
【００２８】
なお、本発明は、前記実施形態に限定されるものではなく、本発明の目的を達成できる他の構成等を含み、以下に示すような変形等も本発明に含まれる。
例えば、前記実施形態では、障子２０が左右にスライド開閉可能な浴室窓１を例示して説明したが、本発明の建具は、このような片引き形式のものに限らず、引違い形式や上げ下げ形式のサッシ窓であってもよく、またサッシ窓以外の引き戸や折れ戸、シャッター、ブラインド、可動間仕切りなどであってもよい。
また、本発明の建具は、浴室窓１に限らず、通常の居室等に設けられる一般的な窓であってもよく、さらには高所に設けられる窓（天窓や吹き抜け部の窓）であってもよい。
【００２９】
また、前記実施形態では、駆動手段として電動のモーター３２を用いたが、本発明の面材駆動装置における駆動手段は、電動のものに限らず、手動の操作部からの駆動力を用いて駆動力伝達手段を作動させるものであってもよく、例えば、辷り出し窓や突き出し窓等に用いられるオペレータを操作部および駆動手段として用いてもよい。
また、前記実施形態では、駆動プーリー３４１、一対の従動プーリー３４２，３４３および無端ワイヤー３４４で駆動力伝達機構３４を構成したが、駆動力伝達手段としては、ギアの組み合わせによるものや、ピニオンおよびギアを用いたもの、ネジ軸を用いたもの等、任意の形式の伝達機構が利用可能である。
【００３０】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３１】
【図１】本発明の実施形態に係る建具を示す縦断面図である。
【図２】前記建具を示す横断面図である。
【図３】前記建具における面材駆動装置を示す平面図である。
【図４】前記面材駆動装置の動作を示す平面図である。
【図５】前記面材駆動装置の面材連結部および施錠手段を示す平面図である。
【図６】前記面材連結部および施錠手段の解錠状態を示す平面図である。
【図７】前記面材連結部および施錠手段を示す斜視図である。
【符号の説明】
【００３２】
１…建具である浴室窓、１０…枠体である窓枠、２０…面材である障子、３０…面材駆動装置、３１…支持部であるベース、３２…駆動手段であるモーター、３３…面材連結部であるブラケット、３４…駆動力伝達機構（手段）、３５…カバー材（カバー部）、４０…施錠装置（施錠手段）、４１…錠受け、４２…係合部材、３３４…可動部材（可動部）、３３５…長孔、３３６…挿通部材であるボルト、３５１…スリット、３５２…手動解錠操作部である開口、４２１…係合片、４２２…当接片。
【図１】
2008115620.tif 000003
【図２】
2008115620.tif 000004
【図３】
2008115620.tif 000005
【図４】
2008115620.tif 000006
【図５】
2008115620.tif 000007
【図６】
2008115620.tif 000008
【図７】
2008115620.tif 000009